(57)【要約】【課題】施工が容易でコストも安く、しかも通気性や排水性に優れ、根の生長が速く、収穫の増大を図ることができ、更に自走式の耕うん機を走行させて、土を耕したり、肥料を自動的に散布することができる高畝隔離ベッドを提供するものである。【解決手段】地面１の平行線に沿って所定の間隔で複数本の縦パイプ７を立設し、この平行線に沿って立設した縦パイプ７の上部を連結パイプ８で直線状に接続すると共に、この立設した縦パイプ７と連結パイプ８とで形成された枠体９に、ネット１３を取付けて多孔壁面１５を形成し、これと平行する多孔壁面１５との間に培土４を充填して培地１６を形成したものである。【選択図】    図１
2004166571.tif 000002
【特許請求の範囲】
【請求項１】
地面の平行線に沿って所定の間隔で複数本の縦パイプを立設し、この平行線に沿って立設した縦パイプの上部を連結パイプで直線状に接続すると共に、この立設した縦パイプと上部の連結パイプとで形成された枠体に、ネットまたは多孔板を取付けて多孔壁面を形成し、これと平行する多孔壁面との間に培土を充填して培地を形成したことを特徴とする高畝隔離ベッド。
【請求項２】
連結パイプにネットの上部を巻回して、この上から断面円弧状のクリップを嵌合させて、連結パイプにネットの上部を固定したことを特徴とする請求項１記載の高畝隔離ベッド。
【請求項３】
平行線に沿って立設した縦パイプの地面からの高さを４０〜６０ｃｍとし、隣接する縦パイプの間隔を１〜１．５ｍとし、平行に配置した枠体の間隔を４０〜６０ｃｍとしたことを特徴とする請求項１記載の高畝隔離ベッド。
【請求項４】
多孔壁面の上部を構成する左右の連結パイプを、車輪付耕うん機が走行する走行レールとしたことを特徴とする請求項１、２または３記載の高畝隔離ベッド。
【請求項５】
平行する多孔壁面との間に培土を充填して形成した培地を、複数列平行に形成し、隣接する培地の長手方向に沿った連結パイプの両端を、半円形状に湾曲した２本の連結パイプで連結して、蛇行した走行レールを形成したことを特徴とする請求項４記載の高畝隔離ベッド。
【発明の詳細な説明】
【０００１】
【発明の属する技術分野】
本発明は、野菜や花などを地面より高い位置で栽培する高畝隔離ベッドに関するものである。
【０００２】
【従来の技術】
一般に、キュウリやトマトなどの農作物を栽培する場合、地面に形成された土を筋状に盛り上げた畝に栽培している。このため、育苗から収穫までの作業を、中腰やしゃがんだ姿勢で行なう必要があり、重労働であった。
【０００３】
このため、特開平８−２９８８７０号公報に示されているように、複数個の容器本体を連結部材で連結した形状の栽培容器を、架台に架け渡して保持する高畝培地が提案され、立ったままの姿勢で作業することができるようにしたものがある。しかしながらこの構造は、支柱やフレームなどで構成された保持装置を地面上に設置した後、栽培容器をセットしなければならないため、設置作業に多くの労力と時間を必要とし、設備費も高くなる欠点があった。
【０００４】
また特開２００１−８６８６４号公報の高畝隔離ベッドは図１０に示すように、栽培地の地面１に盛土部２を形成し、通水性を有するシート材３で培土４を直方体状に包んで培土収容体５を形成し、これを前記盛土部２の上に載置して高い畝を形成したものである。
【０００５】
この構造では、多数の栽培容器の設置や栽培容器ごとの培土充填作業などが不要で、着席姿勢での作業が可能であるが、地面に盛土部を形成した後、この上で、シート材３で培土４を直方体状に包む作業が面倒であり、また直方体状に形状を保持することが難しい問題がある。このため培土４の両側に形状保持板をシート材３で包むことも提案されているが、作業が面倒で資材コストも高くなる上、通気性が悪くなり、根の成長が悪くなる欠点があった。
【０００６】
【発明が解決しようとする課題】
本発明は上記問題を改善し、施工が容易でコストも安く、しかも通気性や排水性に優れ、根の生長が速く、収穫の増大を図ることができ、更に自走式の耕うん機を走行させて、土を耕したり、肥料を自動的に散布することができる高畝隔離ベッドを提供するものである。
【０００７】
【課題を解決するための手段】
本発明の請求項１記載の高畝隔離ベッドは、地面の平行線に沿って所定の間隔で複数本の縦パイプを立設し、この平行線に沿って立設した縦パイプの上部を連結パイプで直線状に接続すると共に、この立設した縦パイプと上部の連結パイプとで形成された枠体に、ネットまたは多孔板を取付けて多孔壁面を形成し、これと平行する多孔壁面との間に培土を充填して培地を形成したことを特徴とするものである。
【０００８】
また請求項２記載の高畝隔離ベッドは、連結パイプにネットの上部を巻回して、この上から断面円弧状のクリップを嵌合させて、連結パイプにネットの上部を固定したことを特徴とするものである。請求項３記載の高畝隔離ベッドは、平行線に沿って立設した縦パイプの地面からの高さを４０〜６０ｃｍとし、隣接する縦パイプの間隔を１〜１．５ｍとし、平行に配置した枠体の間隔を４０〜６０ｃｍとしたことを特徴とするものである。
【０００９】
請求項４記載の高畝隔離ベッドは、多孔壁面の上部を構成する左右の連結パイプを、車輪付耕うん機が走行する走行レールとしたことを特徴とするものである。更に請求項５記載の高畝隔離ベッドは、平行する多孔壁面との間に培土を充填して形成した培地を、複数列平行に形成し、隣接する培地の長手方向に沿った連結パイプの両端を、半円形状に湾曲した２本の連結パイプで連結して、蛇行した走行レールを形成したことを特徴とするものである。
【００１０】
【発明の実施の形態】
以下本発明の実施の一形態を図１ないし図３を参照して詳細に説明する。図において６は高畝隔離ベッドを示すもので、これは地面１の平行線に沿って所定の間隔で複数本の縦パイプ７、７を立設し、この平行線に沿って立設した縦パイプ７、７の上部を連結パイプ８で直線状に接続して枠体９、９が平行に形成されている。
【００１１】
縦パイプ７の上部とこれと直交する連結パイプ８は、図３に示すように、金属板を湾曲させて連結パイプ８に被せ、その両端を縦パイプ７の上部開口部に挿入する連結金具１０で一体に連結されている。なお枠体９、９の端部はエルボ１１で横幅方向に連結パイプ８で連結されている。
【００１２】
この平行に配置された枠体９、９の内側には図２に示すように、枠体９、９と地面１に沿ってネット１３を取付け、ネット１３の上端を、連結パイプ８に巻きつけるように取付けて、断面円弧状のクリップ１４を連結パイプ８に嵌合させてネット１３を固定して、多孔壁面１５が形成されている。この後、多孔壁面１５、１５の内側に培土４を充填して培地１６を形成したものである。また、培地１６の長手方向に沿って、この上部に給水管１８が設置され、ここから水や液肥を供給するようになっている。
【００１３】
なお立設した縦パイプ７の地面１からの高さは、４０〜６０ｃｍとし、隣接する縦パイプ７、７の間隔を１〜１．５ｍとし、平行に配置した枠体９、９の間隔は４０〜６０ｃｍの範囲が最適である。この範囲で、作業性が良く、培地１６の形状が保持されると共に、根２０の成長を十分に促進させることができる。
【００１４】
上記構成の高畝隔離ベッド６は、地面１に縦パイプ７、７を立設し、この上部を連結パイプ８で接続して枠体９、９にネット１３を取付けて多孔壁面１５、１５を形成し、この間に培土４を充填して高畝隔離ベッド６を組み立てるので、施工作業が容易で、短時間で組み立てることができる。また市販のパイプやネットを利用できるので設備費も安価である。
【００１５】
この高畝隔離ベッド６は、地面１より高く形成されているので、苗の定植や、手入れ、収穫などを中腰やしゃがむことなく、立ったままの姿勢で作業することができるので、長時間作業しても疲労を少なくすることができる。
【００１６】
また培地１６の両側は、図２に示すように地面１より突出して、この表面がネット１３で覆われているので、通気性が良く培地１６の内側まで十分に酸素が供給される。このため、培地１６を耕して空気を供給する必要がないので不耕起栽培を行なうことができる。更に培地１６が、隣接する培地１６と隔離されているので病虫害の広がりを防止することができる。
【００１７】
また通水性にも優れているので給水管１８から供給された水が培地１６にしみ込んでも排水され易く、根腐れを防止して根２０の成長を促進させることができる。また根２０はネット１３のところまで伸びて来て、日光に当たると、内側に伸びてネット１３から外側に出ることがなく、内側に伸びて毛根が生長し、十分に栄養分を吸収して収穫量を増大させることができる。なお培地１６の底部に設けた防水シート１７の上に、防根シートを設けて根２０が地中に伸びないようにした構造でも良い。
【００１８】
図４は本発明の異なる他の実施の形態を示すもので、培地１６の表面にマルチシート１２を被せ、更に培地１６の底部に防水シート１７を設け、この上に暗渠となる排水パイプ１９を配管し、更にこの上を防根シート２１で覆ったものである。
【００１９】
この構造では、培地１６の表面に被せたマルチシート１２が、草や苔の発生を防止すると共に、地温を保持するようにしたものである。また底部の防水シート１７は、地下水の浸入を防止すると共に、大雨などに水が溢れて培地１６に浸入した場合には、排水パイプ１９から外部に排水するようになっている。
【００２０】
図５は本発明の異なる他の実施の形態を示すもので、多孔壁面１５、１５の上部を構成する左右の連結パイプ８、８を耕うん機２２の走行レール２３としたものである。この耕うん機２２は、耕うん機本体２４の前方に、エンジン２６で駆動する回転式耕うん装置２５を上下動自在に取付け、更に耕うん機本体２４の横にエンジン２６で駆動する車輪２７、２７を取付けて、この車輪２７、２７を走行レール２３、２３に載せて、耕うん機２２が自走するようになっている。なお連結パイプ８にはネット１３が巻きつけてあるので、クリップ１４を走行レール２３の全長にわたって被せる必要がある。
【００２１】
この高畝隔離ベッドでは、車輪付耕うん機２２が走行レール２３、２３を自走しながら、回転式耕うん装置２５のブレードが回転して、培土４を攪拌して耕すことができる。また回転式耕うん装置２５に肥料の供給ホッパーを取付ければ、培土４を耕しながら肥料を混ぜることができる。従って、高畝隔離ベッド６が長い場合には、手作業によらず自動的に耕すことができ、作業の省力化を図ることができる。
【００２２】
図６は本発明の異なる他の実施の形態を示すもので、高畝隔離ベッド６を平行して複数列配置し、隣接する培地１６の長手方向に沿った連結パイプ８、８の両端を、半円形状に湾曲した２本の連結パイプ８ａ、８ｂで連結して、蛇行した走行レール２３を形成したものである。
【００２３】
この高畝隔離ベッドでは、車輪付耕うん機２２が蛇行した走行レール２３、２３を自走しながら、回転式耕うん装置２５のブレードが回転して、培土４を連続して耕すことができ、大規模の栽培を行なう場合に作業の省力化を図ることができる。
【００２４】
図７および図８は本発明の異なる他の実施の形態を示すもので、ネット１３の代わりに、プラスチックなどで形成された多孔板２８を取付けて多孔壁面１５を形成したものである。これは多孔板２８の孔が空気の通気孔になると同時に排水孔としての作用をなし、培土４への空気の供給と排水性を向上させることができる。なおこの場合は、連結パイプ８にネット１３が取付けられていないので、クリップ１４は不要となり、連結パイプ８自体を走行レール２３とすることができる。
【００２５】
図９は本発明の異なる他の実施の形態を示すもので、底部に防水ボックス２９を設け、この両側に多孔板２８、２８を設けると共に、防水ボックス２９の内側に排水パイプ１９を配管し、更にこの上を防根シート２１で覆ったものである。また培地１６の表面にはマルチシート１２が被せられている。
【００２６】
この構造では、底部の防水ボックス２９が、地下水の浸入を防止すると共に、大雨などに水が溢れて培地１６に浸入した場合には、排水パイプ１９から外部に排水するようになっている。
【００２７】
なお多孔板２８としては、板に多数の丸孔を開孔したものに限らず、メッシュ状のものや、ラス材など孔あきのものであれば他のものでも良い。また本発明の高畝隔離ベッドは、温室内に限らず屋外に設置しても良い。
【００２８】
【発明の効果】
以上説明した如く本発明に係る請求項１記載の高畝隔離ベッドによれば、地面の平行線に沿って所定の間隔で複数本の縦パイプを立設し、この平行線に沿って立設した縦パイプの上部を連結パイプで直線状に接続すると共に、この立設した縦パイプと上部の連結パイプとで形成された枠体に、ネットまたは多孔板を取付けて多孔壁面を形成し、これと平行する多孔壁面との間に培土を充填して培地を形成したので、組み立て作業が容易で、短時間で組み立てることができると共に、市販のパイプやネットを利用できるので安価に製造することができる。
【００２９】
また高畝隔離ベッドは、地面より高く形成されているので、苗の定植や、手入れ、収穫などの農作業を立ったままの姿勢で行え、疲労が少ない。また培地は地面より突出して、この表面がネッや多孔板で覆われているので、通気性が良く培地の内側まで十分に酸素が供給されるので不耕起栽培が可能になると共に、排水性に優れ、根の成長を促進させることができる。また根は伸びて来て、日光に当たると、内側に伸びていくのでネットや多孔板の隙間から外側に出ることがなく、十分に栄養分を吸収して収穫量を増大させることができる。
【００３０】
また請求項２記載の高畝隔離ベッドによれば、連結パイプにネットの上部を巻回して、この上から断面円弧状のクリップを嵌合させて、連結パイプにネットの上部を固定したので、組み立て作業が容易で、確実にネットを固定することができる。
【００３１】
また請求項３記載の高畝隔離ベッドによれば、平行線に沿って立設した縦パイプの地面からの高さを４０〜６０ｃｍとし、隣接する縦パイプの間隔を１〜１．５ｍとし、平行に配置した枠体の間隔を４０〜６０ｃｍとしたので、立った姿勢で農作業を行なうことができると共に、培地の形状を保持することができる。
【００３２】
また請求項４記載の高畝隔離ベッドによれば、多孔壁面の上部を構成する左右の連結パイプを、車輪付耕うん機が走行する走行レールとしたので、ここに車輪付耕うん機を自走させて、培土を攪拌して耕すことができ、作業の省力化を図ることができる。
【００３３】
また請求項５記載の高畝隔離ベッドによれば、平行する多孔壁面との間に培土を充填して形成した培地を、複数列平行に形成し、隣接する培地の長手方向に沿った連結パイプの両端を、半円形状に湾曲した２本の連結パイプで連結して、蛇行した走行レールを形成したので、車輪付耕うん機が蛇行した走行レール上を自走しながら、培土を連続して耕すことができ、大規模の栽培を行なう場合に作業の省力化を図ることができる。
【図面の簡単な説明】
【図１】本発明の実施の一形態による高畝隔離ベッドの斜視図である。
【図２】図１の高畝隔離ベッドを示す断面図である。
【図３】図１の縦パイプと連結パイプの連結部分を示す拡大断面図である。
【図４】本発明の他の実施の形態による高畝隔離ベッドを示す断面図である。
【図５】本発明の他の実施の形態による連結パイプを走行レールとして、ここを車輪付耕うん機が走行している状態を示す断面図である。
【図６】本発明の他の実施の形態による高畝隔離ベッドを複数列平行に形成し、隣接する培地の長手方向に沿った連結パイプの両端を、半円形状に湾曲した連結パイプで連結して、蛇行した走行レールを形成した平面図である。
【図７】本発明の他の実施の形態による、多孔壁面を多孔板で形成した高畝隔離ベッドの斜視図である。
【図８】図７の断面図である。
【図９】本発明の他の実施の形態による、多孔壁面を多孔板で形成し、底部を防水ボックスで形成した高畝隔離ベッドの斜視図である。
【図１０】従来の高畝隔離ベッドを示す断面図である。
【符号の説明】
１        地面
２        盛土部
３        シート材
４        培土
５        培土収容体
６        高畝隔離ベッド
７        縦パイプ
８        連結パイプ
９        枠体
１０    連結金具
１２    マルチシート
１１    エルボ
１３    ネット
１４    クリップ
１５    多孔壁面
１６    培地
１８    給水管
１９    排水パイプ
２０  根
２２    車輪付耕うん機
２３    走行レール
２４    耕うん機本体
２５    回転式耕うん装置
２６    エンジン
２７    車輪
２８    多孔板
【図１】
2004166571.tif 000003
【図２】
2004166571.tif 000004
【図３】
2004166571.tif 000005
【図４】
2004166571.tif 000006
【図５】
2004166571.tif 000007
【図６】
2004166571.tif 000008
【図７】
2004166571.tif 000009
【図８】
2004166571.tif 000010
【図９】
2004166571.tif 000011
【図１０】
2004166571.tif 000012